(57)【要約】【課題】  使いやすく、しかも噴射位置ずれの少ない喉用スプレーを提供する。【解決手段】  容器１０の口部１１にポンプ式噴射装置１４を取り付け、使用時には倒立して容器の口部を下にし、操作部材を操作してポンプ式噴射装置を作動し、その噴射孔３２から容器の内容物を噴射する。そのような喉用スプレーにおいて、操作部材として、回動操作することによりステム２０を押し込んでポンプ式噴射装置を作動するトリガーレバー２８を使用する。【選択図】        図１
2007007301.tif 000002
【特許請求の範囲】
【請求項１】
容器の口部にポンプ式噴射装置を取り付け、使用時には倒立して前記容器の口部を下にし、操作部材を操作して前記ポンプ式噴射装置を作動し、その噴射孔から前記容器の内容物を噴射する喉用スプレーにおいて、
前記操作部材として、回動操作することによりステムを押し込んで前記ポンプ式噴射装置を作動するトリガーレバーを使用することを特徴とする喉用スプレー。
【請求項２】
前記ポンプ式噴射装置に、前記トリガーレバーの回動操作を可能とする第１位置と、不能とする第２位置とに移動自在にストッパ部材を備えることを特徴とする、請求項１に記載の喉用スプレー。
【請求項３】
前記噴射孔を被うノズルカバーを着脱自在に備えることを特徴とする、請求項１又は２に記載の喉用スプレー。
【発明の詳細な説明】
【技術分野】
【０００１】
この発明は、容器の口部にポンプ式噴射装置を取り付け、使用時には倒立して容器の口部を下にし、ポンプ式噴射装置の噴射孔を口腔内に向けて操作部材を操作することによりポンプ式噴射装置を作動し、噴射孔から喉に向けて容器の内容物を噴射し、喉の炎症等を治療する、喉用スプレーに関する。
【背景技術】
【０００２】
従来、この種の喉用スプレーは、例えば図４に示すように、容器１の口部にポンプ式噴射装置２を取り付ける。ポンプ式噴射装置２には、プッシュダウン操作することにより不図示のステムを押し込んでそのポンプ式噴射装置２を作動するプッシュボタン３を備えていた。プッシュボタン３には、ノズル部材４を設けていた。
【０００３】
そして、使用時には、図示するごとく、倒立して容器１の口部を下にし、容器１の底部とポンプ式噴射装置２のプッシュボタン３に指を掛け、ポンプ式噴射装置２のノズル部材４を口にくわえてその噴射孔を口腔内に向け、プッシュボタン３をプッシュダウン操作することによりポンプ式噴射装置２を作動し、容器１から汲み上げた内容物を噴射孔から喉に向けて噴射し、喉の炎症等を治療していた。
【０００４】
【特許文献１】実用新案登録第２５４７７９０号
【特許文献２】実用新案登録第２５６３４４２号
【発明の開示】
【発明が解決しようとする課題】
【０００５】
ところが、従来の喉用スプレーでは、操作部材としてプッシュボタン３を使用することから、プッシュボタン３のプッシュダウン操作を軽くして操作性を向上すべく、ポンプ式噴射装置２のシリンダ径を小さくする必要があり、その分、ピストンのストロークが長くなっていた。このため、プッシュボタン３の押し込み量が大きくなって使いにくくなり、また噴射位置ずれが生じやすくなる問題があった。
【０００６】
そこで、この発明の第１の目的は、使いやすく、しかも噴射位置ずれの少ない喉用スプレーを提供することにある。
【０００７】
この発明の第２の目的は、携行時等に、意に反して操作部材が操作されて例えばバック内を汚したりするおそれを解消することにある。
【０００８】
この発明の第３の目的は、携行時等に、口腔内に近付けるノズル部材などを衛生的に保持することにある。
【課題を解決するための手段】
【０００９】
そのため、この発明は、上述した第１の目的を達成すべく、容器の口部にポンプ式噴射装置を取り付け、使用時には倒立して容器の口部を下にし、操作部材を操作してポンプ式噴射装置を作動し、その噴射孔から容器の内容物を噴射する喉用スプレーにおいて、前記操作部材として、回動操作することによりステムを押し込んでポンプ式噴射装置を作動するトリガーレバーを使用するものである。
【００１０】
そして、使用時には、倒立して容器の口部を下にし、ポンプ式噴射装置のノズル部材を口に近付けてその噴射孔を口腔内に向け、操作部材であるトリガーレバーに指を掛けて回動操作することによりステムを押し込んでポンプ式噴射装置を作動し、容器から汲み上げた内容物を噴射孔から喉に向けて噴射し、喉の炎症等を治療する。
【００１１】
請求項２に記載の発明は、上述した第２の目的を達成すべく、喉用スプレーにおいて、ポンプ式噴射装置に、トリガーレバーの回動操作を可能とする第１位置と、不能とする第２位置とに移動自在にストッパ部材を備えるものである。
【００１２】
そして、使用時には、ストッパ部材を第１位置としてトリガーレバーの回動操作を可能とし、不使用時には、第２位置としてトリガーレバーの回動操作を不能とする。
【００１３】
請求項３に記載の発明は、上述した第３の目的を達成すべく、喉用スプレーにおいて、噴射孔を被うノズルカバーを着脱自在に備えるものである。
【００１４】
そして、使用時には、ノズルカバーを取り外して噴射孔を開放し、不使用時には、ノズルカバーを取り付けて噴射孔を被う。
【発明の効果】
【００１５】
このため、この発明によれば、トリガーレバーを回動操作することによりステムを押し込んでポンプ式噴射装置を作動し、容器から汲み上げた内容物を噴射孔から喉に向けて噴射するので、トリガーレバーのレバー比により、プッシュボタンをプッシュダウン操作する場合に比べて、トリガーレバーの回動操作を軽くして操作性を向上することができる。また、その分、ポンプ式噴射装置のシリンダ径を大きくしてピストンのストロークを短くし、噴射位置ずれを少なくして内容物を目的部位に向け的確に噴射することを可能とする。さらに、喉用スプレーの操作部材としてトリガーレバーを採用することにより、目新しさ、ものめずらしさを出すことができる。
【００１６】
請求項２に記載の発明によれば、使用時には、ストッパ部材を第１位置としてトリガーレバーの回動操作を可能とし、不使用時には、第２位置としてトリガーレバーの回動操作を不能とするので、携行時などに、意に反してトリガーレバーを回動操作し、バック内等を汚すおそれをなくすことができる。
【００１７】
請求項３に記載の発明によれば、使用時には、ノズルカバーを取り外して噴射孔を開放し、不使用時には、ノズルカバーを取り付けて噴射孔を被うので、携行時などには、ノズルカバーを取り付けて噴射孔を被い、使用時に口腔内に近付けるノズル部材などを衛生的に保持することができる。
【発明を実施するための最良の形態】
【００１８】
以下、図面を参照しつつ、この発明の実施の最良形態につき説明する。
図１には、この発明による喉用スプレーの要部外観を示す。図２には、その喉用スプレーの要部縦断面を示す。
【００１９】
図中符号１０は、この発明による喉用スプレーに備える、樹脂製等の容器である。容器１０は、ボトル形状で、図２に示すように上部に筒状の口部１１を上向きに突出して設ける。容器１０は、内部に、喉用の消毒剤、消炎剤、鎮痛剤、解熱剤、抗生物質などを含む薬液を、内容物として収容している。
【００２０】
容器１０の口部１１には、外周の雄ねじにキャップ部材１３をねじ付けてポンプ式噴射装置１４を取り付ける。ポンプ式噴射装置１４は、キャップ部材１３の頂部中心孔にシリンダ１５の上端部１６を通し、そのシリンダ１５のフランジ部１７を、パッキン１８を挟んで口部１１上端面に押さえ付け、容器１０内に入れてシリンダ１５を保持する。
【００２１】
シリンダ１５内には、上方から、不図示のボール状の逆止弁を挿入してからコイルスプリング１９を入れ、ピストン２０を出し入れ自在に挿入する。ピストン２０には、中心線に沿って下端側が塞がれた管路２１を設け、その管路２１と連通する横孔２２を下端側に径方向にあける。そして、その横孔２２を開閉する開閉弁２４をピストン２０の下部外周に取り付け、開閉弁２４の上下外周部をシリンダ１５の内周面に押し当てる。
【００２２】
シリンダ１５内には、さらに嵌合部材２５を入れ、開閉弁２４を上から押して少し押し下げ、ピストン２０を介してコイルスプリング１９を若干圧縮する。そして、嵌合部材２５をシリンダ１５の上端部１６に被せてそれにはめ付けることにより抜け止めし、コイルスプリング１９を圧縮状態で保持する。
【００２３】
嵌合部材２５には、支柱部２６を斜め上向きにのばして設け、その支柱部２６の先端部に支軸２７を介して、操作部材であるトリガーレバー２８を回動自在に取り付ける。
【００２４】
他方、ピストン２０には、ステム３０を連結する。ステム３０は、直角に折れ曲がり、先端にノズル部材３１を取り付ける。ノズル部材３１には、噴射孔３２を設ける。そして、その噴射孔３２に通ずる吐出路３３をピストン２０の管路２１に連通してなる。
【００２５】
ステム３０には、外周に円形突部３４とそれに隣接してリブ状突部３５とを形成してなり、その円形突部３４にトリガーレバー２８を載せてなる。そして、トリガーレバー２８の回動とともに、ステム３０を押し下げ可能とする。
【００２６】
ところで、このステム３０は、ストッパ部材３６に貫挿する。ストッパ部材３６は、嵌合部材２５にはめ付けて抜け止めし、取手３７を持ってステム３０まわりで第１位置と第２位置とに回動自在とする。
【００２７】
図１において、符号３８で示すものは、不使用時に、噴射孔３２を被うノズルカバーであり、トリガーレバー２８に着脱自在に備える。
【００２８】
いま、この喉用スプレーを使用するときには、まず図１に示すようにノズルカバー３８を取り外し、ストッパ部材３６を第１位置とする。次いで、倒立して図３に示すように容器１０の口部１１を下にし、容器１０を持ってノズル部材３１を口腔内に向け、操作部材であるトリガーレバー２８に親指を掛けてトリガーレバー２８を回動操作し、ポンプ式噴射装置１４を作動する。
【００２９】
すると、ストッパ部材３６が第１位置にあるので、リブ状突部３５がストッパ部材３６の段部３９に当たることなく、ステム３０の押し込みを可能としてトリガーレバー２８の回動を可能とする。そして、コイルスプリング１９に抗してのステム３０の押し込みとともに、シリンダ室４０の圧力を徐々に上昇する一方、開閉弁２４を開き、シリンダ室４０の内容物を横孔２２から管路２１に入れ、吐出路３３を通して噴射孔３２から口腔内に向けて噴射し、のどに吹き付ける。
【００３０】
トリガーレバー２８の回動を緩めると、ステム３０をコイルスプリング１９の付勢力で押し戻すとともに、開閉弁２４を閉じ、シリンダ室４０の圧力を負圧化する。そして、逆止弁を開き、容器１０内の内容物をシリンダ室４０に吸い込む。
【００３１】
トリガーレバー２８を再び回動操作すると、ステム３０を押し込み、再度シリンダ室４０の圧力を上昇するとともに開閉弁を開き、シリンダ室４０の内容物を口腔内に向けて噴射する。
【００３２】
よって、トリガーレバー２８を回動操作することによりステム３０を押し込んでポンプ式噴射装置１４を作動し、容器１０から汲み上げた内容物を噴射孔３２から喉に向けて噴射するので、トリガーレバー２８のレバー比により、プッシュボタンをプッシュダウン操作する場合に比べて、トリガーレバー２８の回動操作を軽くして操作性を向上することができる。また、その分、ポンプ式噴射装置１４のシリンダ径を大きくしてピストン２０のストロークを短くし、噴射位置ずれを少なくして内容物を目的部位に向け的確に噴射することを可能とする。さらに、喉用スプレーの操作部材としてトリガーレバー２８を採用することにより、目新しさ、ものめずらしさを出すことができる。
【００３３】
使用後は、ステム３０まわりに回動してストッパ部材３６を第２位置とし、トリガーレバー２８を回動操作してステム３０を押し込もうとしても、リブ状突部３５がストッパ部材３６の段部３９に当たってステム３０の押し込みを不可とし、トリガーレバー２８の回動操作を不能とする。
【００３４】
これにより、使用時には、ストッパ部材３６を第１位置としてトリガーレバー２８の回動操作を可能とし、不使用時には、第２位置としてトリガーレバー２８の回動操作を不能とするので、携行時などに、意に反してトリガーレバー２８を誤って回動操作し、例えば喉用スプレーを収納するバック内等を汚したりするおそれをなくすことができる。
【００３５】
その後、トリガーレバー２８にノズルカバー３８を取り付けてノズルカバー３８で噴射孔３２を被う。これにより、使用時には、ノズルカバー３８を取り外して噴射孔３２を開放する一方、不使用時には、ノズルカバー３８を取り付けて噴射孔３２を被うので、携行時などには、使用時に口腔内に近付けるノズル部材３１などを汚れないように衛生的に保持することができる。
【図面の簡単な説明】
【００３６】
【図１】この発明による喉用スプレーの要部外観斜視図である。
【図２】その喉用スプレーの要部縦断面図である。
【図３】その喉用スプレーの使用状態の要部側面図である。
【図４】従来の喉用スプレーの使用状態図である。
【符号の説明】
【００３７】
１０    容器
１１    口部
１４    ポンプ式噴射装置
２０    ステム
２８    トリガーレバー
３２    噴射孔
３６    ストッパ部材
３８    ノズルカバー
【図１】
2007007301.tif 000003
【図２】
2007007301.tif 000004
【図３】
2007007301.tif 000005
【図４】
2007007301.tif 000006